(57)【要約】【課題】小さな力で端子の動きを規制することができるコネクタを提供する。【解決手段】コネクタハウジング１１と、このコネクタハウジング１１の差し込みにより嵌合が生じる嵌合筒部１９を有する他のコネクタハウジング１３とを備え、両ハウジングは嵌合後のハウジング間のガタつきが規制されるコネクタ１００であって、嵌合時、コネクタハウジング１１のフード部２３の内側には他のコネクタハウジング１３の嵌合筒部１９を弾接状態に押圧するリブＲ１，Ｒ２，Ｒ３，Ｒ４，Ｒ５，Ｒ６がコネクタ重心Ｇからフード部内面までの均等な位置Ｐ１，Ｐ２，Ｐ３，Ｐ４，Ｐ５，Ｐ６に複数配置される。他のコネクタハウジング１３の嵌合筒部１９にはコネクタハウジング１１のリブに対応して複数のリブが配置されていてもよい。【選択図】図５
2011082114.tif 000002
【特許請求の範囲】
【請求項１】
コネクタハウジングと、該コネクタハウジングの差し込みにより嵌合が生じる嵌合筒部を有する他のコネクタハウジングとを備え、両ハウジングは嵌合後のハウジング間のガタつきが規制されるコネクタであって、
嵌合時、前記コネクタハウジングのフード部内側には前記他のコネクタハウジングの嵌合筒部を弾接状態に押圧するリブがコネクタ重心から該フード部内面までの均等な位置に複数配置されていることを特徴とするコネクタ。
【請求項２】
請求項１記載のコネクタであって、
前記他のコネクタハウジングの嵌合筒部には前記コネクタハウジングのリブに対応して複数のリブが配置されていることを特徴とするコネクタ。
【請求項３】
請求項１又は請求項２記載のコネクタであって、
前記複数のリブは、前記コネクタ重心を含み且つ嵌合・離脱方向に垂直な断面上に位置することを特徴とするコネクタ。
【請求項４】
請求項３記載のコネクタであって、
前記複数のリブは、前記断面を等距離で挟む一対の平行断面上のそれぞれに位置することを特徴とするコネクタ。
【発明の詳細な説明】
【技術分野】
【０００１】
本発明は、雌雄のコネクタハウジングを嵌合するコネクタに関する。
【背景技術】
【０００２】
両コネクタハウジングが嵌合・離脱方向と交差する方向へ遊動するのを規制するコネクタに例えば特許文献１に開示されるものがある。図７，図８に示すように、このコネクタ５００は、互いに嵌合可能な雄雌の両コネクタＦ，Ｍにより構成される。雄コネクタＭは、雄ハウジング５０１と、雄端子金具５０３とから構成されている。雄ハウジング５０１は、前方へ突出する略角筒状をなすフード部５０５を備える。雌コネクタＦは、雌ハウジング５０７と、雌端子金具５０９とから構成されている。雌ハウジング５０７は、外筒部５１１を備える。
【０００３】
雄ハウジング５０１の外周面と雌ハウジング５０７の外筒部５１１の内周面は、四隅部分がほぼ円弧形に形成されるとともにその各曲面５０５ａ，５１１ａ同士を上下左右のほぼ真っ直ぐな真直面５０５ｂ，５１１ｂによって繋いだ形状となっており、真直面５０５ｂ，５１１ｂや、両ガイドリブ５１３の上端面には遊動規制部５１５，５１７が設けられている。雄ハウジング５０１を外筒部５１１に嵌合した状態では、遊動規制部５１５，５１７により、両ハウジング５０１，５０７の嵌合・離脱方向と交差する方向への遊動を規制することができる。
【先行技術文献】
【特許文献】
【０００４】
【特許文献１】特開２００５−２４３６０６号公報
【発明の概要】
【発明が解決しようとする課題】
【０００５】
上記従来のコネクタ５００は、振動を抑えるために、真直面５０５ｂ，５１１ｂやガイドリブ５１３の上端面に遊動規制部５１５，５１７を設けて、力を加えている（押圧力を付与している）。
しかしながら、コネクタ５００の重心Ｇと遊動規制部５１５，５１７の中心（多角形Ｕの重心）Ｃとがずれているため、コネクタ５００に振動が加わった際にはコネクタ５００、雌雄端子金具５０３，５０９の動きを抑えるのに、遊動規制部５１５，５１７に部分的に大きな力を加える（一部の遊動規制部５１５，５１７を高くしてラップ量を増すことで強い力で押さえる）必要がある。
【０００６】
本発明は上記状況に鑑みてなされたもので、その目的は、小さな力で端子の動きを規制することができるコネクタを提供することにある。
【課題を解決するための手段】
【０００７】
本発明に係る上記目的は、下記構成により達成される。
（１）  コネクタハウジングと、該コネクタハウジングの差し込みにより嵌合が生じる嵌合筒部を有する他のコネクタハウジングとを備え、両ハウジングは嵌合後のハウジング間のガタつきが規制されるコネクタであって、
嵌合時、前記コネクタハウジングのフード部内側には前記他のコネクタハウジングの嵌合筒部を弾接状態に押圧するリブがコネクタ重心から該フード部内面までの均等な位置に複数配置されていることを特徴とするコネクタ。
【０００８】
このコネクタによれば、コネクタ重心を包囲する等距離の位置で、複数のリブによって両ハウジングが接触することで、振動の加わったときに、両ハウジングにモーメントが生じにくくなる。これにより、小さな力（一部の遊動規制部を高くしてラップ量を増すことで生じる強い押さえ力によらない小さな力）で両ハウジング相互間のガタつきが抑制可能となる。
【０００９】
（２）  （１）のコネクタであって、
前記他のコネクタハウジングの嵌合筒部には前記コネクタハウジングのリブに対応して複数のリブが配置されていることを特徴とするコネクタ。
【００１０】
このコネクタによれば、リブ同士を確実に接触させることができるようになり、片側ハウジングのみにリブが配置される場合に比べ、リブ接触不良によるガタつきが生じにくくなる。
【００１１】
（３）  （１）又は（２）のコネクタであって、
前記複数のリブは、前記コネクタ重心を含み且つ嵌合・離脱方向に垂直な断面上に位置することを特徴とするコネクタ。
【００１２】
このコネクタによれば、コネクタ重心を含む垂直断面上において、コネクタ重心を包囲する等距離の位置からリブによって両ハウジングが接触することで、振動の加わったときに、両ハウジングに、コネクタ重心を通る嵌合・離脱方向の軸回りでのモーメントが生じにくくなる。
【００１３】
（４）  （３）のコネクタであって、
前記複数のリブは、前記断面を等距離で挟む一対の平行断面上のそれぞれに位置することを特徴とするコネクタ。
【００１４】
このコネクタによれば、コネクタ重心を含む垂直断面を等距離で挟む一対の平行断面上において、コネクタ重心を包囲する等距離の位置からリブによって両ハウジングが接触することで、振動の加わったときに、両ハウジングに、コネクタ重心を通る嵌合・離脱方向の軸回りのモーメントのみならず、コネクタ重心を通り嵌合・離脱方向に直交する軸回りでのモーメントも生じにくくなる。
【発明の効果】
【００１５】
本発明に係るコネクタによれば、コネクタの重心とリブの中心を同じ位置にすることで、コネクタ重心の振幅を抑制し、小さな力（一部の遊動規制部を高くしてラップ量を増すことで生じる強い押さえ力によらない小さな力）で端子の動きを規制することができ、接点の摩耗を低減し抵抗上昇を抑えることができる。
【図面の簡単な説明】
【００１６】
【図１】本発明に係るコネクタの分解斜視図である。
【図２】図１に示した雌コネクタの斜視図である。
【図３】図１に示した雄コネクタの斜視図である。
【図４】図１に示したコネクタの縦断面図である。
【図５】図４のＡ−Ａ断面図である。
【図６】図５に示したリブの拡大図である。
【図７】従来の防水コネクタの縦断面図である。
【図８】図７に示した雄コネクタの正面図である。
【発明を実施するための形態】
【００１７】
以下、本発明の実施の形態を図面を参照して説明する。
図１は本発明に係るコネクタの分解斜視図、図２は図１に示した雌コネクタの斜視図、図３は図１に示した雄コネクタの斜視図、図４は図１に示したコネクタの縦断面図である。
防水コネクタ（以下、単に「コネクタ」と称す。）１００は、コネクタハウジングである雌コネクタハウジング１１と、他のコネクタハウジングである雄コネクタハウジング１３と、を具備する。両ハウジング１１，１３は、樹脂製品からなる。雌コネクタハウジング１１は、図２に示す端子収容室１５を内方に形成した筒状嵌合部であるハウジング本体１７を有する。このハウジング本体１７は、外周が雄コネクタハウジング１３との嵌合部となる。ハウジング本体１７の外側には雄コネクタハウジング１３の嵌合筒部１９を受け入れる受入空間２１を有して包囲するフード部２３が設けられる。
【００１８】
フード部２３の後部には切欠部２５が形成され、切欠部２５は後端が自由端となるロックアーム２７を配置する。ロックアーム２７は雄コネクタハウジング１３のロック突起２９に係止することで嵌合を保持する。ハウジング本体１７の前面には雄端子挿入口３１が開口され、その上方にはフロントホルダ３３の挿入口３５が形成される。図４に示すように、フロントホルダ３３は、挿入口３５から挿入されることで、係止部３７（図１参照）をハウジング本体１７内の係止手段３８（図２参照）に係止して装着されるとともに、規制部３９を雌端子４１の離脱を阻止している弾性係止片４３の係止解除方向に位置させて、雌端子４１を二重係止構造とする。
【００１９】
ハウジング本体１７は、長円筒状に形成され、その外周に、内周面をハウジング本体１７の外周面に水密、気密に密着する長円筒状のパッキン４５が装着される。パッキン４５は、ハウジング本体１７に装着された状態で、後面がハウジング段部４９に当接し、前面にはフロントホルダ３３の先端が密接する。
【００２０】
雌端子４１は、図１に示す略箱型をなす本体部４１ａと、電線Ｗの端部に圧着接続されるバレル部４１ｂとを前後に繋げた構成とされる。本体部４１ａ内には、前方から相手の雄端子５１が挿入可能とされるとともに、その雄端子５１と弾性接触可能な弾性接触片（図示せず）が設けられている。この本体部４１ａの後部は、上記弾性係止片４３が係止する係止部５３となっている。電線Ｗの被覆にはシール栓５５が外挿される。シール栓５５は、その内周面が電線Ｗの被覆の外周面に、外周面が電線導出開口５７の内周面にそれぞれ密着して端子収容室１５内をシールする。
【００２１】
図３に示すように、雄コネクタハウジング１３の上面両側には、嵌合・離脱方向ａに沿って延在する一対の上部ガイド突起６１，６１が設けられる。また、雄コネクタハウジング１３の両側部には、嵌合・離脱方向ａに沿って延在する一対の側部ガイド突起６３，６３が設けられる。一方、雌コネクタハウジング１１のフード部２３内の上部には、上部ガイド突起６１，６１を受け入れる図２に示す一対の上部ガイド溝６５，６５が形成される。また、フード部２３内の側部には、側部ガイド突起６３，６３を受け入れる一対の側部ガイド溝６７，６７が形成されている。これら上部ガイド突起６１，６１及び側部ガイド突起６３，６３と、上部ガイド溝６５，６５及び側部ガイド溝６７，６７とは、嵌合して雌コネクタハウジング１１と雄コネクタハウジング１３との嵌合動作を案内する。
【００２２】
図５は図４のＡ−Ａ断面図、図６は図５に示したリブの拡大図である。
コネクタ１００は、雄コネクタハウジング１３の嵌合筒部１９が、雌コネクタハウジング１１のフード部２３とハウジング本体１７の間の受入空間２１（図２参照）に差し込まれることで、嵌合が生じる。両ハウジング１１，１３は、嵌合後のハウジング間のガタつきを規制する構成を備えている。
【００２３】
フード部２３の内側には、嵌合時に雄コネクタハウジング１３の嵌合筒部１９を弾接状態に押圧するリブＲ１，Ｒ２，Ｒ３，Ｒ４，Ｒ５，Ｒ６がコネクタ重心Ｇからフード部２３の内面までの均等（ｒ１＝ｒ２＝ｒ３＝ｒ４＝ｒ５＝ｒ６）な位置Ｐ１，Ｐ２，Ｐ３，Ｐ４，Ｐ５，Ｐ６に複数配置されている。位置Ｐ１，Ｐ３，Ｐ５に設けられるリブＲ１，Ｒ３，Ｒ５と、位置Ｐ２，Ｐ４，Ｐ６に設けられるリブＲ２，Ｒ４，Ｒ６は図５において左右対称であるので、位置Ｐ１，Ｐ３，Ｐ５に設けられるリブＲ１，Ｒ３，Ｒ５を代表に説明する。
【００２４】
位置Ｐ１に設けられるリブＲ１は、図６（ａ）に示すように、上部ガイド溝６５の下面から下方に突出して設けられる。リブＲ１の突出先端は、上部ガイド突起６１の上面６１ａに圧接する。位置Ｐ３に設けられるリブＲ３は、図６（ｂ）に示すように、フード部２３の側部内面２３ａから内側に突出して設けられる。リブＲ３の突出先端は、嵌合筒部１９の側面１９ａに圧接する。位置Ｐ５に設けられるリブＲ５は、図６（ｃ）に示すように、フード部２３の隅部内面２３ｂから内側に突出して設けられる。リブＲ５の突出先端は、嵌合筒部１９のＲ部１９ｂに圧接する。
【００２５】
リブＲ１，Ｒ２，Ｒ３，Ｒ４，Ｒ５，Ｒ６は、先端が例えば凸曲面状（Ｒ状）に形成される。ハウジングと一体成形されていることにより、圧接することにより弾性変形して潰される。また、リブＲ１，Ｒ２，Ｒ３，Ｒ４，Ｒ５，Ｒ６は、嵌合・離脱方向ａに所定長さの短尺で形成される。所定長さの短尺とは、嵌合完了直前に圧接を開始し、嵌合完了まで圧接状態を維持する長さである。
【００２６】
リブＲ１，Ｒ２，Ｒ３，Ｒ４，Ｒ５，Ｒ６は、フード部２３側のみに設けても良いが、雄コネクタハウジング１３の嵌合筒部１９に、リブＲ１，Ｒ２，Ｒ３，Ｒ４，Ｒ５，Ｒ６に対応して複数のリブ６９が配置されてもよい。本実施の形態では、リブＲ１，Ｒ２，Ｒ３，Ｒ４，Ｒ５，Ｒ６のそれぞれに対応して複数のリブ６９が配置されている。例えばリブＲ１，Ｒ２に対応し、上部ガイド突起６１，６１の上面６１ａに突設されたリブ６９，６９を図３に示す。他のリブ６９の図示は省略するが、例えばリブＲ３，Ｒ４，Ｒ７に対応して配置される各リブ６９は、嵌合・離脱方向ａに沿った前後方向にずれて突設されている。このような構成によれば、嵌合時にリブ同士が接触する場合の嵌合力増大に伴った挿入性の低下を抑えて、ハウジング間のガタつきを規制することができる。つまり、挿入性を低下させないで、片側ハウジングのみにリブが配置される場合に比べ、リブ接触不良によるガタつきを一層生じにくくする。また、嵌合完了時の雌コネクタハウジング１１に対する雄コネクタハウジング１３の傾きをより低減することができる。
【００２７】
また、本実施の形態では、図５に示すように、上部に２つのリブＲ１，Ｒ２、下部に２つのリブＲ５，Ｒ６が設けられるが、コネクタ重心Ｇの位置によっては、例えば下部に１つのリブＲ７を設け、左右２つのリブＲ５，Ｒ６を省略することができる。但し、この場合においても、コネクタ重心Ｇからの距離ｒ７は、他のリブからコネクタ重心Ｇまでの距離（例えばｒ１）と等しくなければならない。
【００２８】
本実施の形態において、リブＲ１，Ｒ２，Ｒ３，Ｒ４，Ｒ５，Ｒ６、リブ６９は、コネクタ重心Ｇを含み嵌合・離脱方向ａに垂直な断面７１（図４参照）上に位置する。つまり、図５の断面内に位置する。コネクタ重心Ｇは、断面７１内のあらゆる方向から外力をかけてもコネクタ１００を回転させない。コネクタ重心Ｇは、幾何学的に、或いは位置座標によって近似的に算出しても良く、実測して得ても良い。コネクタ１００は、形状が複雑な上、各部の厚みが異なり、異種材料も組み付けられるので、実測して得るのが現実的と言える。
【００２９】
次に、上記構成を有するコネクタ１００の作用を説明する。
コネクタ１００が嵌合開始されると、雄コネクタハウジング１３の上部ガイド突起６１，６１及び側部ガイド突起６３，６３が、雌コネクタハウジング１１の上部ガイド溝６５，６５及び側部ガイド溝６７，６７に進入を開始し、嵌合が案内される。両ハウジング１１，１３が所定深さまで嵌合されると、ロック突起２９の前面に対してロックアーム２７の前面が摺接しつつ乗り上げる。
【００３０】
そして、両ハウジング１１，１３が正規深さまで嵌合されると、ロックアーム２７がロック突起２９を乗り越えて復元する。ロックアーム２７は、ロック突起２９の後面に対して係止することで、両ハウジング１１，１３を正規嵌合状態から離脱不能に保持する。この状態で、雄雌端子５１，４１同士は正規に導通接続される。
【００３１】
この正規嵌合状態において、コネクタ重心Ｇを中心に放射方向に位置する等距離のリブＲ１，Ｒ２，Ｒ３，Ｒ４，Ｒ５，Ｒ６とリブ６９によって両ハウジング１１，１３が接触する。このリブＲ１，Ｒ２，Ｒ３，Ｒ４，Ｒ５，Ｒ６とリブ６９は、フード部２３の内面と、嵌合筒部１９の外面との間に位置する。この面を嵌合対向面８０（図６参照）と称する。嵌合対向面８０は、嵌合・離脱方向ａに延在する。延在長さは、ハウジングの嵌合全長であってもよく、その一部分であってもよい。
【００３２】
コネクタ重心Ｇから均等な位置とは、コネクタ重心Ｇを通る嵌合・離脱方向ａの軸線７３（図４参照）を中心としたリブ配置円７５（図５参照）上の任意位置を指す。つまり、リブ配置円７５は、各位置Ｐ１，Ｐ２，Ｐ３，Ｐ４，Ｐ５，Ｐ６を結ぶ六角形Ｔの外接円となる。リブＲ１，Ｒ２，Ｒ３，Ｒ４，Ｒ５，Ｒ６、リブ６９は、嵌合対向面とリブ配置円７５との交点であれば任意の位置に設けることができる。
【００３３】
コネクタ重心Ｇを包囲する等距離の位置からリブＲ１，Ｒ２，Ｒ３，Ｒ４，Ｒ５，Ｒ６、リブ６９によって両ハウジング１１，１３が接触することで、振動の加わったときに、両ハウジング１１，１３にモーメントが生じにくくなる。例えば図５に示すリブＲ１，Ｒ２のみを考えた場合、仮にリブＲ２のコネクタ重心Ｇからの距離ｒ２がｒ１よりも短かった場合（ｒ１＞ｒ２）、雄コネクタハウジング１３には同図時計回りのモーメントが生じ易くなる。振動によりこのモーメントが反転を繰り返してガタつきが生じる。これに対し、本実施の形態の構成のように、コネクタ重心Ｇが等距離のリブＲ１，Ｒ２に支持されていれば、振動による外力が左右で釣り合いモーメントが生じにくくなる。これにより、小さな力（一部の遊動規制部を高くしてラップ量を増すことで生じる強い押さえ力によらない小さな力）で両ハウジング１１，１３相互間のガタつきが抑制可能となる。
【００３４】
本実施の形態では、コネクタ重心Ｇとリブ配置円７５は同一断面７１上にある。コネクタ重心Ｇを含む垂直断面７１上において、コネクタ重心Ｇを包囲する等距離の位置からリブＲ１，Ｒ２，Ｒ３，Ｒ４，Ｒ５，Ｒ６、リブ６９によって両ハウジング１１，１３が接触する。これにより、振動の加わったときに、両ハウジング１１，１３に、コネクタ重心Ｇを通る嵌合・離脱方向の軸線７３（図４参照）回りでのモーメントが生じにくくなる。
【００３５】
本実施の形態では、コネクタ重心Ｇとリブ配置円７５は同一平面上にあるが、コネクタ重心ＧとリブＲ１，Ｒ２，Ｒ３，Ｒ４，Ｒ５，Ｒ６、リブ６９との位置関係はこれに限定されるものではない。コネクタ重心Ｇとリブ配置円７５が同一平面上にない場合、コネクタ重心Ｇとリブ配置円７５とは、円錐の頂点と底面円との関係となる。
【００３６】
例えば、複数のリブＲ１，Ｒ２，Ｒ３，Ｒ４，Ｒ５，Ｒ６、リブ６９が、断面７１を等距離で挟む一対の平行断面７７，７９（図４参照）上のそれぞれに位置するものとする。この場合、コネクタ重心Ｇに頂点を合わせ、コネクタ重心Ｇを通る軸線７３上に逆向きに配置した一対の円錐のそれぞれの底面円周上に複数のリブＲ１，Ｒ２，Ｒ３，Ｒ４，Ｒ５，Ｒ６、リブ６９が配置されることになる。このコネクタ構成によれば、一対の平行断面７７，７９上のそれぞれにおいて、コネクタ重心Ｇを包囲する等距離の位置からＲ１，Ｒ２，Ｒ３，Ｒ４，Ｒ５，Ｒ６、リブ６９によって両ハウジング１１，１３が接触する。振動の加わったときに、両ハウジングに、コネクタ重心Ｇを通る嵌合・離脱方向ａの軸回りのモーメントのみならず、コネクタ重心Ｇを通り嵌合・離脱方向ａに直交する軸回りでのモーメントも生じにくくなる。
【００３７】
したがって、本実施の形態に係るコネクタ１００によれば、コネクタ１００の重心ＧとリブＲ１，Ｒ２，Ｒ３，Ｒ４，Ｒ５，Ｒ６、リブ６９の中心（全てのリブＲ１，Ｒ２，Ｒ３，Ｒ４，Ｒ５，Ｒ６から等距離の点）を同じ位置にすることで、コネクタ重心Ｇの振幅を抑制し、小さな力（一部の遊動規制部を高くしてラップ量を増すことで生じる強い押さえ力によらない小さな力）で雌雄端子４１，５１の動きを規制することができ接点の摩耗を低減し抵抗上昇を抑えることができる。
【符号の説明】
【００３８】
１１  雌コネクタハウジング（コネクタハウジング）
１３  雄コネクタハウジング（他のコネクタハウジング）
１９  嵌合筒部
２３  フード部
６９  他のコネクタハウジングのリブ
７１  コネクタ重心を含み嵌合・離脱方向に垂直な断面
７７，７９  断面を等距離で挟む一対の平行断面
１００  コネクタ
Ｇ  コネクタ重心
Ｐ１，Ｐ２，Ｐ３，Ｐ４，Ｐ５，Ｐ６  均等な位置
Ｒ１，Ｒ２，Ｒ３，Ｒ４，Ｒ５，Ｒ６  リブ
ａ  嵌合・離脱方向
【図１】
2011082114.tif 000003
【図２】
2011082114.tif 000004
【図３】
2011082114.tif 000005
【図４】
2011082114.tif 000006
【図５】
2011082114.tif 000007
【図６】
2011082114.tif 000008
【図７】
2011082114.tif 000009
【図８】
2011082114.tif 000010